(57)【特許請求の範囲】
【請求項１】
キャップ頂板部と、この頂板部の周縁から垂下し、キャップ開蓋操作時にチューブ容器本体のテーパ状肩部と押圧接触させられる外筒部と、前記外筒部の内側に間隙を有して頂板部から垂下し内側下部に係止用凸部を有する構成で、キャップ閉蓋操作時にチューブ容器本体の肩部から突出した注出ノズルの基部側に形成されたアンダーカットに前記係止用凸部が嵌着させられる内筒部とを有してなるキャップを、上下方向の開閉操作により粘性のある練り歯磨きを内容物として収容したチューブ容器に対して着脱可能にした練り歯磨き製品において、
キャップ及び注出ノズルを弾性変形可能な樹脂製とし、
前記キャップの内筒部の下部を複数の縦スリットで複数の部分に分けて各部分の内側部に前記係止用凸部を形成し、
前記内筒部の上部内周面を平坦面に形成し、
チューブ容器本体の注出ノズルの外周部に、内筒部の上部内周面と液密に摺動可能であって、練り歯磨きの漏れを防止する液密摺動部を設けると共に、閉操作時には、該液密摺動部の先端側で内筒部内に残留した練り歯磨きを掻き上げて注出ノズル内に押し戻し可能な液密摺動部を注出ノズル先端側部に少なくとも１つ備え、
キャップ頂板部下面部であって内筒部の内周位置には、キャップ閉蓋時に注出ノズルの先端面部に液密に接触するシール部が下方に向けて該頂板部下面部のなかで最も下方に突出形成されていて、該シール部がキャップ閉蓋時の注出ノズルの先端面部に液密に接触する構造とし、
キャップを注出ノズルに嵌めて押し込むことによって、注出ノズルをキャップの内筒奥まで押し込むことができ、前記液密摺動部の先端側によって内筒部内に付着した練り歯磨きを掻き上げて注出ノズル内に押し戻しかつ内筒部の基部付近から練り歯磨きを取り除いて注出ノズル内に送り込むと共に、内筒部下部の複数の部分が縦スリットから開いて拡張弾性変形して該内筒部の各係止用凸部がアンダーカットを乗り越えて縮径しこのアンダーカットに各係止用凸部が嵌りこむことによってクリック感よく係止用凸部がアンダーカットに係止して内筒部が注出ノズルに嵌りこむようにしたことを特徴とする練り歯磨き製品。
【請求項２】
前記液密摺動部は、注出ノズルの外周部から外方向に突出するフランジ状に形成されていると共に、注出ノズル軸方向に沿う断面形状が基部側より先端側に向けて先細に形成されていることを特徴とする請求項１に記載の練り歯磨き製品。
【請求項３】
前記液密摺動部は、注出ノズル外周部に１以上配列され、練り歯磨きの押し出し用摺動リング体および練り歯磨きの漏れ防止用摺動リング体の機能を有していることを特徴とする請求項１または２に記載の練り歯磨き製品。
【請求項４】
シール部は、キャップ頂板部下面部から円還リブ状に突出してキャップ閉蓋時に注出ノズルの先端面部に液密に接触するコンタクトリング部であることを特徴とする請求項１に記載の練り歯磨き製品。
【発明の詳細な説明】
【技術分野】
【０００１】
本発明は、キャップを、ユーザによる上下方向の開閉操作により粘性のある流動体の練り歯磨きを内容物として収容したチューブ容器に対して着脱させるようにした練り歯磨き製品に関する。
【背景技術】
【０００２】
粘度の有る流動体例えば練り歯磨きは、製造段階で内容物としてチューブに収容しキャップによって蓋をして練り歯磨き製品を構成したものであり、その後、流通・販売のルートに乗せられる。
【０００３】
練り歯磨き製品は、チューブ内に収容した練り歯磨きを使用・不使用時にキャップを取り外し・取付けるものであって、今日では利便性を考慮してキャップはチューブ口元にワンタッチで嵌合・離脱でき、ユーザの清潔かつ簡便な使用を可能にするいわゆるアンダーカット嵌合方式が開発採用されている。
【０００４】
図４および図５は、アンダーカット嵌合方式を採用したキャップ１８付きの歯磨きチューブ１０を説明するものである。図４（ａ）は、注出ノズル１４とキャップ１８の要部縦断面図、（ｂ）は、キャップ１８を裏面側（注出ノズル１４取付け側）より見た内筒部２４周知の内側状態図である。
【０００５】
図４および図５に示すように、歯磨きチューブ容器１０は、太径のチューブ容器本体１０ａの先端部に先細になる肩部１２を介して細径筒状の注出ノズル１４がなだらかに接続されており、この注出ノズル１４には、基部側に係止用のアンダーカット１６が周囲面に形成されている。
【０００６】
また、この注出ノズル１４を開閉するキャップ１８は、ユーザがキャップ１８をチューブ容器本体１０ａに対して上下方向の引き上げ押し込む開閉操作によって該チューブ容器本体１０ａから着脱させるようになっている。このキャップ１８は、円盤状のキャップ頂板部２０とこの頂板部２０の周縁から垂下し、キャップ１８開蓋操作時にチューブ容器本体１０ａのテーパ状肩部１２と押圧接触させられる外筒部２２と、前記外筒部２２の内側に間隙を有して頂板部から垂下し内側下部に係止用凸部２４ａを有する構成を呈し、キャップ閉蓋操作時にチューブ容器本体１０ａの肩部１２から突出した注出ノズル１４の基部側に段状の凸凹に形成されたアンダーカット(係止部）１６に係止用凸部２４ａが嵌着させられる内筒部２４とを有してなる。つまり、キャップ１８は頂板部２０から外筒部２２および内筒部２４が垂下する概略２重筒形状を呈している。
【０００７】
そして、内筒部２４下部は縦スリット２６が複数切り込まれて複数の部分に分けられており（ほぼ複数の短冊が下がった形状）、各部分の内側部に前記注出ノズル１４のアンダーカット１６に係止する係止用凸部２４ａが連続して凹凸に形成されている。
【０００８】
ユーザが前記キャップ１８を前記注出ノズル１４に押し込むことにより、内筒部２４が拡張弾性変形して各係止用凸部２４ａがアンダーカット１６を乗り越えて縮径しこのアンダーカット１６に嵌まり込むことによって係止して、キャップ１８が注出ノズル１４に固定される。一方、キャップ１８を引き上げる、または、キャップ１８下部やチューブ容器肩部１２を手指で押し縮めてキャップ１８を肩部から押し上げることにより、内筒部２４の係止用凸部２４ａがアンダーカット１６から外れ、これによってキャップ１８をチューブ容器１０から取り外すことができる。このような、キャップの嵌合方式がアンダーカット嵌合方式と称されるものである。
【０００９】
この種のアンダーカット嵌合方式の容器にキャップに関して、従来、実公昭６２−２９４０３号（特許文献１）、実公平０１−３４８３号（特許文献２）、および実公平０３−１１１６５号（特許文献３）等が示されている。
【００１０】
ここで、上記従来のチューブ容器は、コンプレッション樹脂成形品であり、成形精度が悪い（口径、倒れ等）ため、キャップとの密着度が悪くなりやすい。この対策のため、従来のチューブ製品は、図４に示すように、キャップ１８の頂板部２０下面の内筒部２４より内側位置から全周にインナーリング２８を足長に延して形成している。キャップ１８を注出ノズル１４に嵌めた時に、そのインナーリング２８を注出ノズル１４先端部１４ａ内に嵌入密着させて、その先端部１４ａとキャップ１８との間で液密になるようにして液漏れ防止を図っている。そして、インナーリング２８を上記注出ノズル１４に誘導するため、内筒部２４内側面にはキャップ１８を嵌合時に誘導する複数のリブ３０，３０…が縦方向に延びかつ間隔を置いて形成されている。
【００１１】
しかしながら、前述従来のチューブ製品では、使用開始後に、使用回数を重ねるにつれて徐徐に頂板部２０とインナーリング２８との間に付着し残った内容物（符号３２で示す）が蓄積されていく。
【００１２】
その結果として、注出ノズル（チューブ口元部）１４の嵌着によって内容物３２がインナーリング２８外側部位に閉じこめられ、内筒部２４内周面から内周面全体に亘って汚れ、さらにはリブ３０，３０…同士の隙間３４を通って押し出されていく。キャップ取付け取り外しの繰り返しによって外にはみ出して注出ノズル１４と肩部１２周辺に残り目立つなど見栄えが悪くなる問題点を有する。つまり、図４（ｂ）に示されるように、キャップ１８を取り外した状態で内容物３２が内筒部２４内周部を埋めてリブ３０，３０…を隠している状況になる。
【００１３】
また、キャップ１８の内筒部２４とインナーリング２８と間に内容物が残っていると、その間に注出ノズル１４を押し込む際に、内容物を押し出しながら注出ノズル１４を押し込まねばならないので抵抗になり嵌めにくい。さらには、残留した内容物が内筒部２４の係止用凸部２４ａを注出ノズル１４のアンダーカット１６に係合する際に邪魔になって嵌りにくくなり、ユーザはキャップをチューブに嵌める際にクリック感が得られず、使用感が悪くなるという問題が生じる。
【特許文献１】実公昭６２−２９４０３号公報
【特許文献２】実公平０１−３４８３号公報
【特許文献３】実公平０３−１１１６５号公報
【発明の開示】
【発明が解決しようとする課題】
【００１４】
本発明は、上述の実情に鑑みてなされたものであり、粘性のある練り歯磨きを収容したチューブ容器においてその口元部を塞ぐキャップの内筒部とチューブの間に残った練り歯磨きが邪魔にならないように排除できるようにして、キャップをクリック感良くチューブに着脱できると共に、キャップ内筒部からはみ出るのを防止して汚れが目立たないようにできる練り歯磨き製品を提供しようとするものである。
【課題を解決するための手段】
【００１５】
本発明は練り歯磨き製品に係るものである。
【００１６】
本発明は、キャップ頂板部と、この頂板部の周縁から垂下し、キャップ開蓋操作時にチューブ容器本体のテーパ状肩部と押圧接触させられる外筒部と、前記外筒部の内側に間隙を有して頂板部から垂下し内側下部に係止用凸部を有する構成で、キャップ閉蓋操作時にチューブ容器本体の肩部から突出した注出ノズルの基部側に形成されたアンダーカットに前記係止用凸部が嵌着させられる内筒部とを有してなるキャップを、上下方向の開閉操作により粘性のある練り歯磨きを内容物として収容したチューブ容器に対して着脱可能にした練り歯磨き製品において、
キャップ及び注出ノズルを弾性変形可能な樹脂製とし、
前記キャップの内筒部の下部を複数の縦スリットで複数の部分に分けて各部分の内側部に前記係止用凸部を形成し、
前記内筒部の上部内周面を平坦面に形成し、
チューブ容器本体の注出ノズルの外周部に、内筒部の上部内周面と液密に摺動可能であって、練り歯磨きの漏れを防止する液密摺動部を設けると共に、閉操作時には、該液密摺動部の先端側で内筒部内に残留した練り歯磨きを掻き上げて注出ノズル内に押し戻し可能な液密摺動部を注出ノズル先端側部に少なくとも１つ備え、
キャップ頂板部下面部であって内筒部の内周位置には、キャップ閉蓋時に注出ノズルの先端面部に液密に接触するシール部が下方に向けて該頂板部下面部のなかで最も下方に突出形成されていて、該シール部がキャップ閉蓋時の注出ノズルの先端面部に液密に接触する構造とし、
キャップを注出ノズルに嵌めて押し込むことによって、注出ノズルをキャップの内筒奥まで押し込むことができ、前記液密摺動部の先端側によって内筒部内に付着した練り歯磨きを掻き上げて注出ノズル内に押し戻しかつ内筒部の基部付近から練り歯磨きを取り除いて注出ノズル内に送り込むと共に、内筒部下部の複数の部分が縦スリットから開いて拡張弾性変形して該内筒部の各係止用凸部がアンダーカットを乗り越えて縮径しこのアンダーカットに各係止用凸部が嵌りこむことによってクリック感よく係止用凸部がアンダーカットに係止して内筒部が注出ノズルに嵌りこむようにしたことを特徴とする練り歯磨き製品である。
【００１７】
本発明において、前記液密摺動部は、注出ノズルの外周部から外方向に突出するフランジ状に形成されていると共に、注出ノズル軸方向に沿う断面形状が基部側より先端側に向けて先細に形成されていることが好適である。
【００１８】
前記液密摺動部は、注出ノズル外周部に１以上配列され、練り歯磨きの押し出し用摺動リング体および練り歯磨きの漏れ防止用摺動リング体の機能を有していることが好適である。
【００１９】
本発明において、シール部は、キャップ頂板部下面部から円還リブ状に突出してキャップ閉蓋時に注出ノズルの先端面部に液密に接触するコンタクトリング部であることが好適である。
【発明の効果】
【００２０】
本発明の練り歯磨き製品によれば、キャップ及び注出ノズルを弾性変形可能な樹脂製とし、前記キャップの内筒部の下部を複数の縦スリットで複数の部分に分けて各部分の内側部に前記係止用凸部を形成し、前記内筒部の上部内周面を平坦面に形成し、チューブ容器本体の注出ノズルの外周部に、内筒部の上部内周面と液密に摺動可能であって、練り歯磨きの漏れを防止する液密摺動部を設けると共に、閉操作時には、該液密摺動部の先端側で内筒部内に残留した練り歯磨きを掻き上げて注出ノズル内に押し戻し可能な液密摺動部を注出ノズル先端側部に少なくとも１つ備え、キャップ頂板部下面部であって内筒部の内周位置には、キャップ閉蓋時に注出ノズルの先端面部に液密に接触するシール部が下方に向けて該頂板部下面部のなかで最も下方に突出形成されていて、該シール部がキャップ閉蓋時の注出ノズルの先端面部に液密に接触する構造とし、キャップを注出ノズルに嵌めて押し込むことによって、注出ノズルをキャップの内筒奥まで押し込むことができ、前記液密摺動部の先端側によって内筒部内に付着した練り歯磨きを掻き上げて注出ノズル内に押し戻しかつ内筒部の基部付近から練り歯磨きを取り除いて注出ノズル内に送り込むと共に、内筒部下部の複数の部分が縦スリットから開いて拡張弾性変形して該内筒部の各係止用凸部がアンダーカットを乗り越えて縮径しこのアンダーカットに各係止用凸部が嵌りこむことによってクリック感よく係止用凸部がアンダーカットに係止して内筒部が注出ノズルに嵌りこむようにしたので、キャップを注出ノズルに嵌めて押し込む際に、液密摺動部によって内筒部内に付着した練り歯磨きを注出ノズル内に押し戻すので、係止部から練り歯磨きが取り除かれて注出ノズル内に送り込むことができる。
【００２１】
したがって、係止部には内筒部の係止用凸部が確実に係止するため、クリック感良く内筒部が注出ノズルに嵌り込む。
【００２２】
よって、粘性のある練り歯磨きを収容したチューブ容器においてその口元部を塞ぐキャップの内筒部とチューブの間に残った練り歯磨きが邪魔にならないように排除でき、キャップをクリック感良くチューブに着脱できると共に、キャップ内筒部から練り歯磨きがはみ出るのを防止して汚れが目立たないようにできるという優れた効果を奏し得る。
【００２３】
また、本発明において、前記液密摺動部を、注出ノズル先端側部に設けるので、キャップを閉蓋操作する際に真っ先に注出ノズル先端側部が内筒部内周面に摺接するので、確実に内筒部内周面の練り歯磨きの残留したものを効果的に注出ノズルに押し戻して確実に係止部に係止用凸部を係止させることができる。
また、キャップ頂板部下面部であって内筒部の内周部に、キャップ閉蓋時に注出ノズルの先端面部に液密に接触するシール部が下方に向けて突出形成するので、キャップをチューブ容器に嵌着した状態で持ち運ぶなどして衝撃が加わっても練り歯磨きの漏れが無く、使用時に注出ノズル回りに練り歯磨きが付着することがなくユーザの使用感が一層向上する。
【００２４】
本発明において、前記液密摺動部を、注出ノズルの外周部から外方向に突出するフランジ状に形成すると共に、注出ノズル軸方向に沿う断面形状が基部側より先端側に向けて先細に形成することによって、液密摺動部の先端部が先細なので柔軟に内筒部内周面に摺接してそこに付着した練り歯磨きを確実に掻き上げて注出ノズル内に押し戻すことができる。
【００２５】
本発明において、液密摺動部は、注出ノズル外周部に１以上配列され、練り歯磨きの押し出し用摺動リング体および練り歯磨きの漏れ防止用摺動リング体の機能を有しているものにすれば、内筒部内周面に付着した練り歯磨きを戻すばかりでなく、キャップをチューブ容器に嵌着した状態で持ち運ぶなどして衝撃が加わっても練り歯磨きの漏れが無く、使用時に注出ノズル回りに練り歯磨きの付着することがなくユーザの使用感が一層向上する。
【００２６】
上記シール部を、キャップ頂板部下面部から円還リブ状に突出してキャップ閉蓋時に注出ノズルの先端面部に液密に接触するコンタクトリング部とすることによって成形の容易な簡単な構成で内容物の練り歯磨きの漏れを確実に無くすことができる。
【発明を実施するための最良の形態】
【００２７】
以下、本発明の実施の形態を添付図面を参照して説明する。
【００２８】
図１〜図３は本発明に係るキャップ付き容器に実施する形態（実施形態１〜３）であって、図中、同一の符号を付した部分は同一物を表わし、図４および図５に示す従来のものとキャップおよびチューブ容器と同様部分に同一の符号を付する。
【００２９】
図１〜図３は実施形態１〜３に係るキャップ付きチューブ容器のキャップおよび注出ノズル周辺の要部縦断面の説明図である。
【００３０】
各実施形態に係るキャップ付きチューブ容器は、前記図５に示したチューブ容器１０と注出ノズルとキャップのうちで異なる点を中心にして図１〜図３で図示している。
【００３１】
また、各実施形態のキャップ付きチューブ容器は、内容物に粘度５０００〜２００００ｍＰａ・ｓ（ＢＨ型粘度計２５℃）の歯磨きなどの粘性体とし、キャップがポリプロピレン樹脂やポリエチレン樹脂製であり、チューブ容器は口元がポリプロピレン樹脂、ポリエチレン樹脂、ポリエチレンテレフタレート樹脂製でチューブはラミネート容器である。
【００３２】
図１に示すように、実施形態１に係るキャップ付きチューブ容器は、キャップ頂板部２０とこの頂板部２０の周縁から垂下し、キャップ３８開蓋操作時にチューブ容器本体１０ａのテーパ状肩部１２と押圧接触させられる外筒部２２と、前記外筒部２２の内側に間隙を有して頂板部２０から垂下し内側下部に係止用凸部２４ａを有する構成で、キャップ３８閉蓋操作時にチューブ容器本体１０ａの肩部から突出した注出ノズル４０の基部側に形成されたアンダーカット（係止部）１６に前記係止用凸部２４ａが嵌着させられる内筒部２４とを有してなるキャップ３８を、上下方向の開閉操作により粘性のある流動体を内容物として収容したチューブ容器１０に対して着脱させるようにしたものである。
【００３３】
そして、内筒部２４内周面２４ｂは平坦面に形成されており、キャップ３８は、前記従来のキャップ１８に設けられたリブ３０を有していない。
【００３４】
チューブ容器本体１０ａの注出ノズル４０の外周部は、内筒部内周面２４ｂと液密に摺動可能であって、内容物の液漏れを防止すると共に、開閉操作時には、注出ノズル４０先端部および内筒部２４内に残留した内容物を注出ノズル４０内に押し戻し可能な液密摺動部４２を備えたものである。
【００３５】
実施形態１において、液密摺動部４２は、注出ノズル４０の先端外周面部が平行または上開きややテーパ形状に平坦面に形成されていて、内筒部２４内周面に緊密に摺接するように形成したものである。
【００３６】
また、キャップ３８の頂板部２０下面部であって内筒部２４内周側位置には、キャップ３８閉蓋時に注出ノズル４０の先端面４０ａ（ノズル軸方向先端面）に液密に接触するシール部４４が下方に向けて突出形成されている。
【００３７】
このシール部４４は、頂板部２０下面部から円還リブ状に突出してキャップ３８閉蓋時に注出ノズル４０の先端面部に液密に接触するコンタクトリング部の構成を有している。
【００３８】
実施形態１に係るキャップ付きチューブ容器によれば、内筒部内周面２４ｂは平坦面に形成し、チューブ容器本体の注出ノズル４０の外周部に、内筒部内周面２４ｂと液密に摺動可能であって、内容物の液漏れを防止すると共に、開閉操作時には、注出ノズル４０先端部および内筒部２４内に残留した内容物を注出ノズル４０内に押し戻し可能な液密摺動部４２を備えたので、キャップ３８を注出ノズル４０に嵌めて押し込む際に、液密摺動部４２によって注出ノズル４０周囲に付着した内容物を注出ノズル４０に押し戻すことができ、頂板部２０の内筒部２４基部付近から内容物が取り除かれて注出ノズル４０内に送り込まれる。
【００３９】
したがって、キャップ３８内筒部２４からはみ出るのを防止して汚れが目立たないようにできる。また、注出ノズル４０を確実にキャップ３８奥まで押し込むことができ、アンダーカット（係止部）１６に内筒部２４の係止用凸部２４ａを確実に係止するため、クリック感良く内筒部２４が注出ノズル４０に嵌り込む。
【００４０】
よって、粘性のある製品を収容したチューブ容器においてその口元部を塞ぐキャップ３８の内筒部２４とチューブの間に残った内容物が邪魔にならないように排除でき、キャップ３８をクリック感良くチューブに着脱できる。
【００４１】
また、キャップ３８頂板部下面部であって内筒部２４の内周部に、キャップ３８閉蓋時に注出ノズル４０の先端面部に液密に接触するシール部４４が下方に向けて突出形成することによって、キャップ３８をチューブ容器に嵌着した状態で持ち運ぶなどして衝撃が加わっても液漏れが無く、使用時に注出ノズル回りに内容物の付着することがなくユーザの使用感が一層向上する。
【００４２】
また、注出ノズル４０の先端面４０ａにシール部４４を当てて使用後に注出ノズル４０から内容物が漏れるのを確実に防止することができる。
【００４３】
本発明の実施形態２を図２によって説明する。
【００４４】
図２に示すように、実施形態２に係るキャップ付きチューブ容器においては、液密摺動部４６は、注出ノズル４０Ａの外周部から外方向に突出するフランジ状に一体に形成され、注出ノズル４０Ａ軸方向に沿う断面形状が基部側より先端側に向け先細に形成されており、前記液密摺動部４６の設けられた注出ノズル４０Ａ全体で概略ラッパ形状を呈するものである。その他の構成は実施形態１と同様であり、図示および説明を省略する。
【００４５】
実施形態２においては、前記液密摺動部４６を、注出ノズル４０の外周部から外方向に突出するフランジ状に形成し、注出ノズル４０軸方向に沿う断面形状が基部側より先端側に向けて先細に形成しており、前記液密摺動部の設けられた注出ノズル４０全体で概略ラッパ形状を呈するものにすることによって、液密摺動部の先端部が先細なので柔軟に内筒部内周面２４ｂに摺接してそこに付着した内容物を確実に掻き上げて注出ノズル４０内に押し戻すことができる。
【００４６】
本発明の実施形態３を図３によって説明する。
【００４７】
図３に示すように、実施形態３に係るキャップ付きチューブ容器においては、前記液密摺動部４４Ｂは、注出ノズル４０Ｂの外周部に１つ設けられたフランジ状部であって、内容物の押し出し用摺動リング体および内容物の液漏れ防止用摺動リング体の機能を有している。具体的には、液密摺動部４４Ｂは、注出ノズル４０Ｂの先端部外周に全周に亘ってフランジ状に形成されており、キャップ３８を注出ノズル４０Ｂに嵌める場合に、内筒部２４内周面２４ｂに付着した内容物を掻き上げて注出ノズル４０Ｂ内に内容物を戻す（内容物の押し出し用摺動リング体の機能）ことができ、かつ、キャップ３８嵌着後には、注出ノズル４０Ｂから意図に反して内容物が漏れることを防止する（内容物の液漏れ防止用摺動リング体の機能）を有する。
【００４８】
また、前記液密摺動部を、注出ノズル４０の外周部から外方向に突出するフランジ状に形成し、注出ノズル４０軸方向に沿う断面形状が基部側より先端側に向けて先細に形成しており、前記液密摺動部の設けられた注出ノズル４０全体で概略ラッパ形状を呈するものにすることによって、液密摺動部の先端部が先細なので柔軟に内筒部内周面２４ｂに摺接してそこに付着した内容物を確実に掻き上げて注出ノズル４０内に押し戻すことができる。
【００４９】
実施形態３の変形例として、図３（ｂ）に示すように、液密摺動部を複数条形成して液密摺動部を内容物の液漏れ防止用に内筒内周面に液密に摺動する摺動リング体４４Ｂ１および内容物の押し出し用摺動リング体４４Ｂ２の機能を担わせる構成にすることができる。
【００５０】
このように、前記液密摺動部を、注出ノズル４０外周部に複数条フランジ状に配列し、それぞれが内容物の押し出し用摺動リング体および内容物の液漏れ防止用摺動リング体の機能を有しているものにすれば、注出ノズル４０外面に付着した内容物を戻すばかりでなく、キャップ３８をチューブ容器に嵌着した状態で持ち運ぶなどして衝撃が加わっても液漏れが無く、使用時に注出ノズル４０回りに内容物の付着することがなくユーザの使用感が一層向上する。
【００５１】
上記いずれの前記実施形態においては、前記液密摺動部４２，４４，４４Ｂが、注出ノル４０先端側部に設けるので、キャップ３８を閉蓋操作する際に真っ先に注出ノズル４０先端側部が内筒部内周面２４ｂに摺接して、確実に内筒内周面の内容物である練り体残留物を効果的に注出ノズル４０に押し戻して確実に係止部に係止用凸部２４ａを係止させることができる。
【００５２】
尚、本発明のキャップ付きチューブ容器は、上記した実施の形態に限定されるものではなく、本発明の要旨を逸脱しない範囲内において種々変更を加え得ることは勿論である。
【図面の簡単な説明】
【００５３】
【図１】本発明の実施形態１に係るキャップ付きチューブ容器のキャップおよび注出ノズル周辺の要部縦断面の説明図である。
【図２】実施形態２に係るキャップ付きチューブ容器のキャップおよび注出ノズル周辺の要部縦断面の説明図である。
【図３】（ａ）は実施形態３に係るキャップ付きチューブ容器のキャップおよび注出ノズル周辺の要部縦断面の説明図、（ｂ）は同注出ノズルの変形例の説明図である。
【図４】従来のキャップ付き容器のキャップおよび注出ノズルの説明図である。
【図５】図４のキャップ付き容器の全体説明図である。
【符号の説明】
【００５４】
１０  チューブ容器
１０ａ  チューブ容器本体
１２  チューブ容器の肩部
１６  アンダーカット
１８  キャップ
２０  頂板部
２２  外筒部
２４  内筒部
２４ａ  係止用凸部
２４ｂ  内周面
２６  縦スリット
３２  内容物
３４  隙間
３８  キャップ
４０  注出ノズル
４０Ａ  注出ノズル
４０Ｂ  注出ノズル
４０ａ  先端面
４２  液密摺動部
４４  シール部
４４Ｂ  液密摺動部
４４Ｂ１  摺動リング体
４４Ｂ２  摺動リング体
４６  液密摺動部
【図１】
0005106937.tif 000002
【図２】
0005106937.tif 000003
【図３】
0005106937.tif 000004
【図４】
0005106937.tif 000005
【図５】
0005106937.tif 000006